(57)【要約】【課題】通気性を確保して、カビの発生や臭いの増大を抑制する。【解決手段】玄関に設置されて靴を収納する収納キャビネット１において、前面に開口２が形成された収納箱体３と、収納箱体３の開口２を開閉する収納扉４と、を備える。そして、収納扉４は、枠体５と、メッシュ状に形成されて枠体５に張設されたシート部材６と、を有する。これにより、湿気の籠りに起因するカビの発生や収納物の臭いの増大を抑制することができる。【選択図】図１
2015140592.tif 000002
【特許請求の範囲】
【請求項１】
枠体と、
メッシュ状に形成されて前記枠体に張設されたシート部材と、
を備える、
収納扉。
【請求項２】
前記シート部材は、消臭機能を有する、
請求項１に記載の収納扉。
【請求項３】
枠体と、
メッシュ状に形成されて前記枠体に張設されたシート部材と、
を備える、
ドア。
【請求項４】
玄関に設置される収納キャビネットであって、
前面に開口が形成された収納箱体と、
前記収納箱体の前記開口を開閉する収納扉と、
を備え、
収納箱体及び前記収納扉の少なくとも一方は、
枠体と、
メッシュ状に形成されて前記枠体に張設されたシート部材と、
を有する、
収納キャビネット。
【発明の詳細な説明】
【技術分野】
【０００１】
この発明は、収納扉、ドア及び収納キャビネットに関する。
【背景技術】
【０００２】
従来から、玄関収納として、靴を収納する収納キャビネットや玄関ウォークインクローゼット等が知られている（例えば、特許文献１〜３参照）。収納キャビネットは、複数段の棚板が設置されて前面に開口が形成された収納箱体と、収納箱体の開口を開閉する収納扉と、を備えている。玄関ウィオークインクローゼットは、複数段の棚板が設置されて出入口が設けられた収納部屋と、収納部屋の出入口を開閉するドアと、を備えている。
【先行技術文献】
【特許文献】
【０００３】
【特許文献１】特開２００２−０３０８０１号公報
【特許文献２】特開２０１１−１５２１８０号公報
【特許文献３】特開平１１−２７６２６５号公報
【発明の概要】
【発明が解決しようとする課題】
【０００４】
ところで、玄関収納の収納扉やドア等は、収納物に対する目隠しとしての機能を持たせつつ、収納された靴等の臭いを閉じ込める機能を持たせるために、不透明かつ通気性の低い構造となっている。このため、玄関収納の収納扉やドア等としては、例えば、不透明かつ通気性の無い一枚の木製平板や、四方框に不透明かつ通気性の無い鏡板を嵌め込んだ複合部材が用いられている。
【０００５】
しかしながら、玄関収納が設置される玄関は湿気が籠りやすいことから、このような収納扉やドア等を用いた場合、カビが生えやすく、靴の臭いが増大されるという問題がある。
【０００６】
そこで本発明は、通気性を確保して、カビの発生や臭いの増大を抑制できる収納扉、ドア及び収納キャビネットを提供することを目的とする。
【課題を解決するための手段】
【０００７】
本発明に係る収納扉は、枠体と、メッシュ状に形成されて枠体に張設されたシート部材と、を備える。
【０００８】
本発明に係る収納扉によれば、メッシュ状に形成されたシート部材が枠体に張設されてなるため、十分な通気性を確保することができる。これにより、湿気の籠りに起因するカビの発生や収納物の臭いの増大を抑制することができる。
【０００９】
この場合、シート部材は、消臭機能を有してもよい。このような機能を有することで、収納扉の内側の空気は、シート部材を通過する際に消臭されるため、収納物の臭いが収納扉を通過して拡散するのを抑制することができる。
【００１０】
本発明に係るドアは、枠体と、メッシュ状に形成されて前記枠体に張設されたシート部材と、を備える。
【００１１】
本発明に係るドアによれば、メッシュ状に形成されたシート部材が枠体に張設されてなるため、十分な通気性を確保することができる。これにより、湿気の籠りに起因するカビの発生や収納物の臭いの増大を抑制することができる。
【００１２】
本発明に係る収納キャビネットは、玄関に設置されて靴を収納する収納キャビネットであって、前面に開口が形成された収納箱体と、収納箱体の開口を開閉する収納扉と、を備え、収納箱体及び収納扉の少なくとも一方は、枠体と、メッシュ状に形成されて枠体に張設されたシート部材と、を有する。
【００１３】
本発明に係る収納キャビネットによれば、収納箱体及び収納扉の少なくとも一方が、メッシュ状に形成されたシート部材が枠体に張設されてなるため、十分な通気性を確保することができる。これにより、湿気の籠りに起因するカビの発生や収納物の臭いの増大を抑制することができる。
【発明の効果】
【００１４】
本発明によれば、通気性を確保して、カビの発生や臭いの増大を抑制することができる。
【図面の簡単な説明】
【００１５】
【図１】第１の実施形態に係る収納キャビネットを設置した玄関周りを示す斜視図である。
【図２】図１に示す収納扉を示す正面図である。
【図３】図２に示すＩＩＩ−ＩＩＩ線における端面図である。
【図４】シート部材のメッシュ形状の一例を示す図である。
【図５】第２の実施形態に係るドア示す斜視図である。
【図６】第３の実施形態に係る収納キャビネットを示す斜視図である。
【発明を実施するための形態】
【００１６】
［第１の実施形態］
以下、図面を参照して、第１の実施形態に係る収納キャビネット及び収納扉について詳細に説明する。なお、全図中、同一または相当部分には同一符号を付し、重複する説明を省略する。
【００１７】
図１は、第１の実施形態に係る収納キャビネットを設置した玄関周りを示す斜視図である。図２は、図１に示す収納扉を示す正面図である。図３は、図２に示すＩＩＩ−ＩＩＩ線における端面図である。なお、図３では、図２に示すＩＩＩ−ＩＩＩ線における端面図として、（ａ）及び（ｂ）の２種類の態様を図示している。図１〜図３に示すように、収納キャビネット１は、玄関に設置されて、靴等が収納される玄関収納キャビネットである。なお、収納キャビネット１は、単体で、又は複数個組み合わせて設置することができ、図１では、６個の収納キャビネット１を組み合わせたものを示している。
【００１８】
収納キャビネット１は、内部に靴等を収容するものであり、前面に開口２が形成された収納箱体３と、収納箱体３の開口２を開閉する収納扉４と、を備えている。なお、図１に示す収納キャビネット１は、一つの収納箱体３に２枚の収納扉４が取り付けられたものである。
【００１９】
収納箱体３は、天板、底板、側板、背板等により構成されており、内部に、靴等を載置する複数段の棚板が取り付けられている。
【００２０】
収納扉４は、枠体５と、枠体５に張設されたシート部材６と、を備えている。
【００２１】
枠体５は、収納扉４の骨格を構成して収納扉４を形作る部材である。枠体５は、四辺に配置された直線状の枠材が組み合わされることにより矩形枠状に形成されており、中央部にシート部材６を張設するための空間が形成されている。枠体５の形状や大きさ、枠体５を構成する各枠材の幅等は、特に限定されるものではなく、適宜選択することができる。枠体５の素材としては、特に限定されるものではなく、例えば、木、金属、樹脂を採用することができる。なお、シート部材６を張設するための空間の位置、形状及び数等は、特に限定されるものではなく、適宜選択することができる。
【００２２】
シート部材６は、枠体５の中央部の空間全体を覆うように、枠体５に張設されるものである。なお、枠体５に複数の空間が形成されている場合は、空間毎にシート部材６が張設されていてもよく、複数の空間全体にシート部材６が張設されていてもよい。シート部材６は、メッシュ状（網目状）に形成されている。メッシュ状とは、網目又は網目に対応する穴が多数形成された形状をいい、網目に対応する穴の配置としては、例えば、縦横に直交配列（格子状に配列）することができる。シート部材６の具体的なメッシュ形状としては、例えば、図４に示した形状とすることができる。図４は、シート部材のメッシュ形状の一例を示す図である。図４の（ａ）に示したメッシュ形状は、直交する第一線状部材６ａと第二線状部材６ｂとを格子状に編み込んで、網目７を縦横に直交配列した形状である。図４の（ｂ）に示したメッシュ形状は、一枚のシート８に網目に対応する穴９を形成するとともに、この穴９を縦横に直交配列させた形状である。図４の（ｃ）に示したメッシュ形状は、図４の（ａ）に示したメッシュ形状の第一線状部材６ａ及び第二線状部材６ｂを４５度傾斜させた形状である。
【００２３】
シート部材６の素材としては、例えば、麻、綿、ポリエチレン、ポリプロピレン、ナイロン、ビニロン、ガラスファイバー、アルミ、鉄、ステンレス等を採用することができる。
【００２４】
また、シート部材６は、消臭機能を有しており、更に、抗菌機能及び防カビ機能を有していてもよい。
【００２５】
シート部材６に消臭、抗菌、防カビ等の機能を持たせるためには、例えば、シート部材６自体に消臭、抗菌、防カビ等の機能を持たせ、又は、シート部材６に消臭、抗菌、防カビ等の加工を施せばよい。
【００２６】
シート部材６に消臭、抗菌、防カビ等の加工を施す方法として、例えば、ポリエステル、ビニロン等の繊維をメッシュ形状にした基布に、消臭剤、抗菌剤、防カビ剤等を含有する樹脂をコーティングする方法がある。
【００２７】
消臭剤としては、消臭効果を有するものであれば特に限定しないが、例えば、活性炭やゼオライト等の多孔質物質、硫酸亜鉛や硫酸鉄等の金属塩、鉄フタロシアニン誘導体等の金属錯体、二酸化チタン等の光触媒系化合物等の消臭剤が挙げられる。これらの消臭剤は、単独で用いられてもよく、２種以上が併用されてもよい。
【００２８】
抗菌剤としては、抗菌効果を有するものであれば特に限定しないが、例えば、銀等の抗菌性金属、リン酸チタン等のリン酸塩系化合物、二酸化チタン等の光触媒系化合物等の抗菌剤が挙げられる。これらの抗菌剤は、単独で用いられてもよく、２種以上が併用されてもよい。
【００２９】
防カビ剤としては、防カビ効果を有するものであれば特に限定しないが、例えば、ベンゾイミダゾール系化合物、有機ヨード系化合物、チアゾール系化合物、ハロアルキルチオ系化合物等の防カビ剤が挙げられる。これらの防カビ剤は、単独で用いられてもよく、２種以上が併用されてもよい。
【００３０】
シート部材６の通気度、開口率、目の大きさ等は、収納扉４に求める通気性等に応じて、適宜選択することができる。この場合、収納扉４に目隠し機能を持たせる観点からは、シート部材６の目開きを小さくすることが好ましく、例えば、シート部材６の目開きを０．１〜０．５ｍｍとすることができる。また、シート部材６とシート部材６を通過する空気との接触面積を増やして消臭効果を高める観点からは、シート部材６の目開きを小さくすることが好ましい。
【００３１】
枠体５に対するシート部材６の張設方法は、特に限定されるものではなく、例えば、図３の（ａ）又は（ｂ）に示すような構造により行うことができる。図３の（ａ）に示すシート部材６の張設構造では、枠体５の裏面に枠体５に沿った溝５ａを形成し、シート部材６を枠体５の裏面に配置し、シート部材６を挟んでゴム等の弾性材５ｂを溝５ａに押し込むことにより、枠体５にシート部材６を固定している。図３の（ｂ）に示すシート部材６の張設構造では、枠体５の裏面に枠体５に沿った溝５ａを形成し、シート部材６を枠体５の表側から裏側に回り込ませ、シート部材６を挟んでゴム等の弾性材５ｂを溝５ａに押し込むことにより、枠体５にシート部材６を固定している。
【００３２】
これにより、収納扉４は、枠体５にシート部材６が張設されて、枠体５の中央部の空間がシート部材６で覆われた状態となる。なお、枠体５の中央部の空間の少なくとも一部がシート部材６のみにより覆われていればよく、枠体５の中央部の空間にシート部材６の通気性を阻害する部材が設けられていてもよい。この場合、枠体５の中央部の空間がシート部材６のみにより覆われて、枠体５の中央部の空間にシート部材６の通気性を阻害する部材は設けられていないものとすることができる。
【００３３】
このように、本実施形態によれば、収納扉４において、メッシュ状に形成されたシート部材６が枠体５に張設されてなるため、湿気の籠りやすい玄関に設置されても、十分な通気性を確保することができる。これにより、湿気の籠りに起因するカビの発生や収納物の臭いの増大を抑制することができる。
【００３４】
しかも、収納キャビネット１に収容された靴等は臭いの原因となるが、シート部材６に消臭機能を持たせることで、収納扉４の内側の空気は、収納扉４を通過する際に消臭される。このため、収納キャビネット１に収容された靴等の臭いが収納扉４を通過して拡散するのを抑制することができる。
【００３５】
［第２の実施形態］
次に、図５を参照して、第２の実施形態に係るドアについて詳細に説明する。
【００３６】
図５は、第２の実施形態に係るドア示す斜視図である。図５に示すように、ドア１１は、玄関等の空間とウォークインクローゼット等の空間とを仕切るものである。
【００３７】
ドア１１は、建物の壁等に対して開閉可能に取り付けられるものであり、枠体１２と、枠体１２に張設されたシート部材１３と、を備えている。
【００３８】
枠体１２は、ドア１１の骨格を構成してドア１１を形作る部材である。ドア１１を形作る構成部品である。枠体１２は、直線状の枠材が組み合わされることにより、シート部材１３を張設するための空間が形成された枠状に形成されている。枠体１２の形状や大きさ、枠体１２を構成する各枠材の幅、シート部材１３を張設するための空間の位置、形状及び数等は、特に限定されるものではなく、適宜選択することができる。なお、図５では、枠体１２の上部と下部の二箇所に、シート部材１３を張設するための空間が形成されている。枠体１２の素材としては、特に限定されるものではなく、例えば、木、金属、樹脂を採用することができる。
【００３９】
シート部材１３は、枠体１２に形成された空間全体を覆うように、枠体５に張設されるものである。なお、枠体１２に複数の空間が形成されている場合は、空間毎にシート部材１３が張設されていてもよく、複数の空間全体にシート部材１３が張設されていてもよい。
【００４０】
シート部材１３は、第１の実施形態のシート部材６と同様にメッシュ状に形成されている。また、シート部材１３の素材は、第１の実施形態のシート部材６と同様の素材を用いることができる。また、シート部材１３は、第１の実施形態のシート部材６と同様に消臭機能を有しており、更に、抗菌機能及び防カビ機能を有していてもよい。また、シート部材１３の通気度、開口率、目の大きさ等も、第１の実施形態のシート部材６と同様にすることができる。また、枠体１２に対するシート部材１３の張設方法も、第１の実施形態の枠体５に対するシート部材６の張設方法（図３参照）と同様にすることができる。
【００４１】
このように、本実施形態によれば、メッシュ状に形成されたシート部材１３が枠体１２に張設されてなるため、湿気の籠りやすい玄関スペース等の壁に取り付けられても、十分な通気性を確保することができる。これにより、湿気の籠りに起因するカビの発生や収納物の臭いの増大を抑制することができる。
【００４２】
しかも、シート部材１３に消臭機能を持たせることで、ドア１１で仕切られた隣接空間の空気は、シート部材を通過する際に消臭されるため、一方の空間の臭いがドア１１を通過して他方の空間に拡散するのを抑制することができる。
【００４３】
［第３の実施形態］
次に、図６を参照して、第３の実施形態に係る収納キャビネットについて詳細に説明する。
【００４４】
図６は、第３の実施形態に係る収納キャビネットを示す斜視図である。図６に示すように、収納キャビネット２１は、玄関や部屋等に設置されて、靴や衣類等が収納されるものである。
【００４５】
収納キャビネット２１は、内部に靴や衣類等を収容するものであり、前面に開口が形成された収納箱体２３と、収納箱体２３の開口を開閉する収納扉２４と、を備えている。
【００４６】
収納箱体２３は、天板２３ａ、底板（不図示）、側板２３ｂ、背板（不図示）等により構成されており、内部に、靴等を載置する棚板や、衣類等をかけるハンガーパイプ等が取り付けられている。
【００４７】
天板２３ａ及び側板２３ｂは、それぞれ、枠体２５と、枠体２５に張設されたシート部材２６と、を備えている。
【００４８】
枠体２５は、天板２３ａ及び側板２３ｂの骨格を構成して天板２３ａ及び側板２３ｂを形作る部材である。枠体２５は、四辺に配置された直線状の枠材が組み合わされることにより矩形枠状に形成されており、中央部にシート部材２６を張設するための空間が形成されている。枠体２５の形状や大きさ、枠体２５を構成する各枠材の幅等は、特に限定されるものではなく、適宜選択することができる。枠体２５の素材としては、特に限定されるものではなく、収納箱体２３の他の部材と同様に、例えば、木、金属、樹脂を採用することができる。なお、シート部材２６を張設するための空間の位置、形状及び数等は、特に限定されるものではなく、適宜選択することができる。
【００４９】
シート部材２６は、枠体２５の中央部の空間全体を覆うように、枠体２５に張設されるものである。シート部材６は、メッシュ状に形成されている。なお、枠体２５に複数の空間が形成されている場合は、空間毎にシート部材２６が張設されていてもよく、複数の空間全体にシート部材２６が張設されていてもよい。
【００５０】
シート部材２６は、第１の実施形態のシート部材６と同様にメッシュ状に形成されている。また、シート部材２６の素材は、第１の実施形態のシート部材６と同様の素材を用いることができる。また、シート部材２６は、第１の実施形態のシート部材６と同様に消臭機能を有しており、更に、抗菌機能及び防カビ機能を有していてもよい。また、シート部材２６の通気度、開口率、目の大きさ等も、第１の実施形態のシート部材６と同様にすることができる。また、枠体２５に対するシート部材２６の張設方法も、第１の実施形態の枠体５に対するシート部材６の張設方法と同様にすることができる。
【００５１】
このように、本実施形態によれば、収納箱体２３の天板２３ａ及び側板２３ｂにおいて、メッシュ状に形成されたシート部材２６が枠体２５に張設されてなるため、湿気の籠りやすい玄関や部屋隅等に設置されても、十分な通気性を確保することができる。これにより、湿気の籠りに起因するカビの発生や収納物の臭いの増大を抑制することができる。
【００５２】
しかも、シート部材２６が消臭機能を有することで、収納キャビネット２１の内側の空気は、シート部材２６を通過する際に消臭されるため、収納物の臭いが収納キャビネット２１を通過して拡散するのを抑制することができる。
【００５３】
以上、本発明の好適な実施形態について説明したが、本発明は上記実施形態に限定されるものではない。
【００５４】
例えば、上記実施形態において、シート部材に、消臭機能、抗菌機能及び防カビ機能を有するものとして説明したが、これらの機能を有していなくてもよい。
【００５５】
また、収納扉、ドア、収納キャビネットは、玄関周りに設置されるものとすることで高い効果を得ることができるが、その設置場所は特に限定されるものではなく、玄関周り以外の様々な場所に設置されるものとすることができる。
【００５６】
また、第３の実施形態では、収納箱体の天板及び側板が、枠体にメッシュ状のシート部材が張設された部位を有するものとして説明したが、収納箱体を構成する何れかの箇所が、枠体にメッシュ状のシート部材が張設された部位を有するものとすればよい。
【００５７】
また、第１の実施形態及び第３の実施形態において、枠体にメッシュ状のシート部材が張設された部位は、収納キャビネットにおける収納扉及び収納箱体の何れか一方のみとして説明したが、収納扉及び収納箱体の少なくとも一方であればよく、収納扉及び収納箱体の双方であってもよい。
【符号の説明】
【００５８】
１…収納キャビネット、２…開口、３…収納箱体、４…収納扉、５…枠体、５ａ…溝、５ｂ…弾性材、６…シート部材、６ａ…第一線状部材、６ｂ…第二線状部材、７…網目、８…シート、９…穴、１１…ドア、１２…枠体、１３…シート部材、２１…収納キャビネット、２３…収納箱体、２３ａ…天板、２３ｂ…側板、２４…収納扉、２５…枠体、２６…シート部材。
【図１】
2015140592.tif 000003
【図２】
2015140592.tif 000004
【図３】
2015140592.tif 000005
【図４】
2015140592.tif 000006
【図５】
2015140592.tif 000007
【図６】
2015140592.tif 000008